(57)【特許請求の範囲】
【請求項１】
メダル原板を落下させ、回転面が平らな圧延ローラと回転面に１以上の版を搭載した版取付ローラで落下したメダル原板を圧延し、版の凹凸模様を転写することにより模様入りのメダルを作り、該メダルを払い出すメダル版刻印装置の版形成機構において、
前記圧延時にメダルが湾曲するローラ側を低くなるように傾斜させ、落下する前記模様入りのメダルを受け、誘導するメダル誘導路と、
前記メダル誘導路で誘導された裏返しのメダルを収容するメダル刻印ボックスと、
前記メダル刻印ボックスに収容されたメダル裏面に１回刻印する毎に更新される文字，数字または日付を刻印する刻印手段と、
前記刻印手段で刻印されたメダルを押すことにより前記刻印機の外に払い出すメダル押出手段と、
を備えたことを特徴とする版形成機構におけるメダル刻印機構。
【請求項２】
前記メダル刻印ボックスの底部にメダルが収容されたことを検出するメダルセット確認センサを有し、
前記刻印手段は、
刻印機作用駆動源と、
刻印面に前記文字，数字または日付の突起部を有し、１回刻印毎につぎの文字，数字または日付の突出部が前記刻印面にセットされる刻印部と、
前記メダルセット確認センサのメダル検出により前記刻印機駆動源を駆動させて前記刻印部を前記メダル刻印ボックス内に嵌入させ、刻印後、前記刻印部を元の位置に復帰させる刻印機駆動部とを備え、
前記メダル押出手段は、
払い出し機構用駆動源と、
前記メダル刻印ボックスの付近に配置され、メダル払出路にメダルを押し出すメダル押出部と、
前記刻印手段による刻印が終了した後、前記払い出し機構用駆動源を駆動し、該駆動力を前記メダル押出部に伝達する駆動力伝達部とを備え、
たことを特徴とする請求項１記載の版形成機構におけるメダル刻印機構。
【請求項３】
前記メダル刻印ボックスは上部および前後面側にそれぞれ開口部を有し、
前記上部側開口部から前記刻印部が嵌入され、
前面側開口部上部に前記誘導路の端部が、前面側開口部下部に前記メダル払出路の端部がそれぞれ接続され、
後面側の開口部からメダル刻印ボックス内に前記メダル押出部を突出させることを特徴とする請求項２記載の版形成機構におけるメダル刻印機構。
【発明の詳細な説明】
【技術分野】
【０００１】
本発明は、メダル版刻印装置の版形成機構、さらに詳しくいえば版の模様を転写したメダルに日付やシリアル番号などを刻印するためのメダル刻印機構に関する。
【背景技術】
【０００２】
メダル原板に凹凸模様の版を形成してなるメダルを販売するメダル版刻印装置が従来より存在する。ユーザが観光地，アミューズメント施設、イベント会場などを訪れた際に、その記念に観光地やイベント会場などに関連する絵やキャラクタなどのメダルを手に入れたいという要望に応えるものである。
図８にこの種のメダル版刻印装置の外観の一例を示す。
メダル版刻印装置５１の前面上方にメダルの版形成の過程を説明するためのメダル購入案内表示部５６が掲載されている。その下にメダルの版形成機構を覗くことができる透明窓５７が設けられている。透明窓５７の前部には、それぞれ異なる版を選択する版選択ボタン５４ａ，５４ｂおよび５４ｃが配置された版選択パネル５４を有している。版選択ボタン５４ａ，５４ｂおよび５４ｃ内には発光ランプが内蔵されている。
【０００３】
版選択パネル５４の下部は凹凸模様が形成されたメダルの払出部５８が配置され、その脇にコイン投入部５５が設けられている。
メダルを購入しようとする者は、まずコイン投入部５５に所定のコインを投入する。
コイン投入により装置内部の版形成機構（図示していない）では、回転面が平らなローラと版を搭載したローラの間の上部にコイン原板が供給されるとともに版選択パネル５４の３つの選択ボタン５４ａ，５４ｂ，５４ｃが発光することにより、それぞれ異なる凹凸模様のいずれかのボタンを選択して押すことをメダル購入者に促す。メダル購入者がその一つのボタンを選択して押すと、コイン原板は回転面が平らなローラと版を搭載したローラの間に落下し、コイン原板に選択した版が形成され、払出部５８から凹凸模様のメダルが払い出される。
【０００４】
図９，図１０に図８のメダル版刻印装置の版形成機構を示す。
図９は版形成機構の全体を示す斜視図，図１０は版形成機構を正面から見た図である。
固定基台６６は図示しない装置筐体に固定され、上面には版を形成するローラ部分を組み込むためのローラ取付板６８，６９が立設されている。下面に版取付ローラ駆動用のモータ６１が取り付けられている。モータ６１の駆動軸６２にギア６３が固定されている。
一方、ローラ取付板６８，６９に回転可能に軸７０が取り付けられ、軸７０の一端にはギア７１が固定されている。ギア６３と６５の間にチェーン６４が掛け渡され、モータ６１の回転力は軸７０に伝達される。
【０００５】
軸７０には圧延ローラ７４が固定され、さらに軸７０の端部にギア７１が取り付けられている。ローラ取付板６８，６９には軸７０に平行して軸７３が回転可能に取り付けられ、軸７３に略１２０度間隔で３つの版（第１の版７６ａなど）を周面に取り付けた版取付ローラ７５が固定されている。さらにその端部にギア７１に歯合するギア７２が取り付けられている。第１の版７６ａ，第２の版および第３の版に刻印すべき異なる模様の凹凸が設けられている。
軸７０に伝達されたモータの回転力はギア７１を介してギア７２に伝達され、版取付ローラ７５を回転させる。圧延ローラ７４の円周面と版取付ローラ７５の版は圧接させられ圧延ローラ７４と版取付ローラ７５が共同して回転する。
圧延ローラ７４と版取付ローラ７５の圧接面の上部にメダル原板７８を圧接面まで案内する案内レール７７が設けられている。案内レール７７は垂直方向に長溝が形成された構造であり、メダル原板７８は長溝の側壁に規制されながら落下する。この長溝の上にはメダル原板７８が飛び出ないように図示しない透明板が貼り付けられている。
【０００６】
案内レール７７の上部付近にソレノイドのプランジャ８４が出入りする貫通孔７７ａが穿設されている。ソレノイドのプランジャ８４が貫通孔７７ａより突出している場合には図示しないメダル原板ホッパーより送られてくるメダル原板７８は案内レール７７内で停止し、ソレノイド駆動によりプランジャ８４が引っ込むと、メダル原板７８は圧延ローラ７４と版取付ローラ７５の圧接面に落下する。
ロータリエンコーダなどのスリット計数により版形成タイミング信号が作られ、ソレノイドが駆動してメダル原板７８が落下し、圧延ローラ７４と版取付ローラ７５に搭載された版により圧延されつつ版の模様が転写されメダルが落下する。落下したメダルは案内スロープ８１を滑り、メダル受８５に入り、メダル払出口８６まで落下する。購入者はメダル払出部５８よりメダルを受け取ることができる。
【０００７】
ところで、この種の装置で加工されたメダルは、上述したようにアミューズメント施設などに訪れた記念やお土産としてコレクションの一つとて購入される。そして、その表面にはそれぞれ、観光地、アミューズメント施設の特徴を生かしたデザインが、メダルを圧延した時に掘り込まれ、商品として提供される。
このようなメダルはそれだけでも十分価値が存在するが、さらに付加価値をつける為、模様などの意匠面とは反対側の面に、購入した日付の刻印やシリアルナンバー等の刻印を追加すれば、より価値のある商品が提供できるものと考えられる。世界各地に同様な版をメダルに形成する装置が存在するが、版を形成したメダルに日付の刻印やシリアルナンバーの刻印等を行う装置は存在しない。
なお、上記版形成機構は本件出願人が創作して実施することを考えたものであり、上述のような日付やシリアルナンバーなどの刻印機能を設ければ付加価値がさらに増大するものである。
【特許文献１】特開２００５−７４８５４号公報
【特許文献２】実開昭６２−１３７６２６号公報
【発明の開示】
【発明が解決しようとする課題】
【０００８】
従来この種のメダル版刻印装置のメダルに版を転写する機構と同じような構成を有するものとして特許文献１や２が挙げられる。
しかしながら、特許文献１はロータリエンコーダを用いて回転を検出して製版済のマスタが版胴の外周面に着版されたか否かを検知するものであり、さらにメモリアルのため日付やシリアルナンバーを版とは別に刻印する技術の開示はない。また特許文献２はローラによって版の凹凸模様を形成する装置として転写するものであり、本件出願人が上述した付加価値を付けるメダル刻印機構を有するものではない。
【０００９】
本発明の目的は、版形成機構で版を転写したメダルの裏面にさらに日付やシリアルナンバーなどの刻印を入れることにより、払い出されるメダルの付加価値を高めることができる版形成機構におけるメダル刻印機構を提供することにある。
【課題を解決するための手段】
【００１０】
前記目的を達成するために本発明の請求項１は、メダル原板を落下させ、回転面が平らな圧延ローラと回転面に１以上の版を搭載した版取付ローラで落下したメダル原板を圧延し、版の凹凸模様を転写することにより模様入りのメダルを作り、該メダルを払い出すメダル版刻印装置の版形成機構において、前記圧延時にメダルが湾曲するローラ側を低くなるように傾斜させ、落下する前記模様入りのメダルを受け、誘導するメダル誘導路と、前記メダル誘導路で誘導された裏返しのメダルを収容するメダル刻印ボックスと、前記メダル刻印ボックスに収容されたメダル裏面に１回刻印する毎に更新される文字，数字または日付を刻印する刻印手段と、前記刻印手段で刻印されたメダルを押すことにより前記刻印機の外に払い出すメダル押出手段とを備えたことを特徴とする。
本発明の請求項２は請求項１記載の発明において前記メダル刻印ボックスの底部にメダルが収容されたことを検出するメダルセット確認センサを有し、前記刻印手段は、刻印機作用駆動源と、刻印面に前記文字，数字または日付の突起部を有し、１回刻印毎につぎの文字，数字または日付の突出部が前記刻印面にセットされる刻印部と、前記メダルセット確認センサのメダル検出により前記刻印機駆動源を駆動させて前記刻印部を前記メダル刻印ボックス内に嵌入させ、刻印後、前記刻印部を元の位置に復帰させる刻印機駆動部とを備え、前記メダル押出手段は、払い出し機構用駆動源と、前記メダル刻印ボックスの付近に配置され、メダル払出路にメダルを押し出すメダル押出部と、前記刻印手段による刻印が終了した後、前記払い出し機構用駆動源を駆動し、該駆動力を前記メダル押出部に伝達する駆動力伝達部とを備えたことを特徴とする。
本発明の請求項３は請求項２記載の発明において前記メダル刻印ボックスは上部および前後面側にそれぞれ開口部を有し、前記上部側開口部から前記刻印部が嵌入され、前面側開口部上部に前記誘導路の端部が、前面側開口部下部に前記メダル払出路の端部がそれぞれ接続され、後面側の開口部からメダル刻印ボックス内に前記メダル押出部を突出させることを特徴とする。
【発明の効果】
【００１１】
上記構成によれば、購入した日付の刻印やシリアルナンバー等の刻印を追加されるため、より価値のあるメダルの商品が提供できる。このような刻印がメダルに追加されることにより購入者，販売者はつぎのような種々の利点を得ることができる。
・購入した日付の刻印があれば、その日その場所に行ったという思い出になる。
・購入した日付の刻印のあるメダルをお土産として他人に渡せばその日その場所に行ったという証拠になる。
・シリアル番号の刻印により何番目に購入したという優越感を得ることができる。
・シリアル番号の刻印の切り番(1000 とか10000 とか切りの良い数字) 目当てで購入してもらうことができる。
・シリアル番号の刻印、例えば、ハートの模様が付いたメダルで"1082(とわに)"のシリアル番号が刻印されたとして、永遠の愛になるという風説、迷信等が市場に流れていれば、それ目当てで購入してもらえる可能性がある。元々、アメリカ、カナダ等では朝、家を出て一番に拾った1 セント硬貨を" ラッキーペニー" と呼ばれ、幸運のお守りとしている。そのような背景からペニーに対するイメージが良いので、同様に風説、迷信等が出やすいと考えられる。
【発明を実施するための最良の形態】
【００１２】
以下、図面等を参照して本発明の実施の形態を詳しく説明する。
図１は、本発明によるメダル刻印機構を有する版形成機構の実施の形態を示す斜視図である。図２は版形成機構を背面から見た斜視図、図３は図１の平面図、図４はメダル刻印機構を有する版形成機構のＡ−Ａ断面図である。なお、図１および図２はその内部構造を見やすくするために、ローラ取付板６９およびギア７１，７２（図２のみ）等を省略してある。図９で説明した各機構部分の構成と同じ符号が付してある部分は同じ機能を果たすものである。本発明はロータ取付板６８，６９の間にメダル誘導路２を配置し、その下部にメダル刻印ボックス８，刻印手段およびメダル押出手段を含むメダル刻印機構を設けたものである。
ギア７２の面に設けられているスリット付き円盤２１によって発生する予め設定されている個数のパルスを計数し、さらにこのパルス計数後、予め設定されている時間経過後に版形成タイミング信号が発生する。版形成タイミング信号により案内レール７７の経路途中に設けたソレノイドのプランジャ８４が引き込まれ一時停止したメダル原板６８を落下させる。
【００１３】
圧延ローラ７４と版取付ローラ７５で版の模様が転写されたメダルはローラ取付板６８と６９の間に配置されたメダル誘導路２に落下する。メダル誘導路２は図４に示すように圧延ローラ７４側下部が低くなるように傾斜させられている。メダル原板７８は案内レール７７内を落下したとき、最初に圧延ローラ７４の外周面に接する状態となって圧延ローラ７４と版取付ローラ７５の間で圧延され版が転写されるため、圧延ローラ７４の外周面に接した側に湾曲したメダルが形成され、その湾曲により裏面側が上になるようにメダル誘導路２に落下する。
メダル誘導路２の先端に設けられたメダル刻印ボックス８は上部と前後部に開口部８ａ，８ｂ，８ｃを有している。そしてメダル刻印ボックス８の底面には収容されたメダルを光学的に検出する（光の遮蔽により）刻印ボックス内メダルセット確認センサ７が配置されている（図５Ｂ参照）。開口部８ａに下降する刻印部１０が嵌入する。開口部８ｂの上部にメダル誘導路２の先端部が係止され、その下部から裏面に刻印されたメダルがメダル払出路９に押し出される。
【００１４】
刻印部１０（図２では省力されている）が軸２０に取り付けられ、メダル刻印ボックス８の上部に配置されている。刻印部１０は刻印面に文字，数字または日付の突起を有し、軸２０の下降により刻印面がメダル刻印ボックス８の底部に達した場合、刻印部１０に内蔵されているバネ（図示されていない）の力により前回刻印された文字，数字または日付の突起が送られ、つぎの文字，数字または日付の突起が刻印面に移動させられて該文字，数字また日付の突起がメダル裏面に衝突する。これにより文字，数字また日付が刻印される。なお、日付の場合には日単位で日付が変わるようにセットされている。
軸２０は刻印機駆動部２８に固定されており、刻印機駆動部２８は刻印機構取付板６７に植設された軸２７に上下可能に取り付けられている。刻印機駆動部２８にメダル刻印起動作用モータ６が設けられ、該メダル刻印起動作用モータ６の出力軸にピニオンが固定されている。ピニオンは、軸２７の周面上下方向に設けられたラックと噛合している。このラックピニオン機構によりメダル刻印起動作用モータ６の出力がラックに伝達され、刻印機駆動部２８に固定されている刻印部１０が上下動する。なお、モータ出力軸，ラック，ピニオンは刻印機駆動部２８内にあり、図１，図２には図示されていない。刻印部１０が開口部８ａからメダル刻印ボックス８内に入り下降し刻印面がメダルの裏面に接すると、上述したバネの力により前回刻印したシリアル番号の次の番号等がメダル裏面に刻印される。
メダル刻印起動作用モータ６，刻印部１０および刻印機駆動部２８を含んだ機構部分で刻印手段が構成される。
【００１５】
刻印機構取付板６７にさらに刻印メダル払い出し機構用モータ５が設けられ、そのモータ軸２２が回転板２４の一端に回転可能に取り付けられている。回転板２４の他端は連結杆２５の一端に回転可能に取り付けられ、連結杆２５の他端にメダル押出部２６が取り付けられている。メダル押出部２６は開口部８ｃからメダル刻印ボックス８内部に入った位置に配置され、刻印メダル払出機構用モータ５が回転駆動すると、メダル刻印ボックス８内部に突出し、シリアル番号等が刻印されたメダルを開口部８ｂ下部から外に押し出す。さらに刻印メダル払出機構用モータ５が回転駆動すると、メダル押出部２６が後退し、元の位置に復帰する。刻印メダル払出機構用モータ５，回転板２４，連結杆２６およびメダル押出部２６を含む機構部分によりメダル押出手段が構成される。
【００１６】
図５Ａ〜図５Ｄはメダル刻印機構の全体の動作を説明するための斜視図である。
図５Ａで示すように版が形成されたメダルが裏返しでメダル誘導路２を滑り落ちる。メダル３０が裏返しの状態でメダル刻印ボックス８に滑り落ちて収容され、この状態がメダルセット確認センサ７で検出される（図５Ｂ）。メダルセット確認センサ７はメダルが収容される前は一定量の光を検出しており、メダルが収容されることにより光が遮られ、検出信号を後述の制御基板に送出する。
この検出信号によりメダル刻印起動作用モータ６は駆動し刻印機１０が下降してメダル３０の裏面にシリアルナンバー等が刻印される（図５Ｃ）。刻印が終了すると刻印機１０は上昇し（図５Ｄ）、当初の位置に復帰する。ついで、連結杆２５が突き出されメダル押出部２６がメダルを押し出しメダル払出路９に落下させ払い出しを行う（図５Ｅ）。
【００１７】
図６は、本発明によるメダル刻印機構を有する版形成機構を適用したメダル版刻印装置の回路構成を示すブロック図である。
制御基板１０に各回路部が搭載され、ＣＰＵ１４にＲＯＭ１８，ＲＡＭ１９および不揮発性メモリ部２３が接続されている。また、版回転モータ（版回転駆動手段）６１をオンオフ駆動するリレーよりなるモータ駆動部１７，原点位置検出用センサ４，位置検出用光学センサ３および刻印ボックス内メダルセット確認センサ７を制御するセンサ制御入出力回路１６ならびにメダルエスクロ用ソレノイド１１，刻印メダル払出機構用モータ５およびメダル刻印起動作用モータ６を制御するソレノイド制御入出力回路１５がそれぞれ接続されている。さらに版位置調整用ボリューム１２からのアナログ電圧をＡ／Ｄ変換するＡ／Ｄ変換部１３が接続されている。
【００１８】
ＲＯＭ１８に版形成機構を駆動するための制御プログラムおよび該制御プログラム駆動時に用いられる各種データが格納されている。
不揮発性メモリ部２３には設定パルス数データおよび版に対する設定時間がそれぞれ格納されている。この設定時間データは版位置調整用ボリューム１２により予め設定した時間を中心に前後に変更可能である。版位置調整用ボリューム１２は、装置組み立て時の個別的な製造上の版ずれなどを正規位置にするため設定時間データｔを独立して調整することができる。
ＲＡＭ１９はＣＰＵ１４が演算などを行うときに作業エリアとして用いられ、さらに一時的にデータを格納する。
ＣＰＵ１４はＲＯＭ１８より制御プログラムを読み出し実行することにより版形成制御部の他、版を転写するためパルス数計数部，時間計測部などの各機能部を実現する。
【００１９】
版形成制御部は装置全体の管理，制御を行うもので、コイン投入に対する版形成機構部の制御，版位置調整用ボリューム１２からの入力に対する演算制御，原点位置検出用光学センサ４および位置検出用光学センサ３の入出力制御ならびにメダルエスクロ用ソレノイド１１，冷却用ソレノイド５および版回転モータ６１に対する駆動制御などを行う。さらに版が形成されたメダルにシリアルナンバ等を刻印するため、刻印ボックス内メダルセット確認センサ７に対する入力制御ならびに刻印メダル払出機構用モータ５およびメダル刻印起動作用モータ６に対する駆動制御を行う。また、版形成制御部は時間計測部で計測した時間がｔになったとき、ソレノイド制御入出力回路１５に対しソレノイド駆動信号（版形成タイミング信号）を送出する。
【００２０】
図７は、本発明によるメダル刻印機構を有する版形成機構を適用したメダル版刻印装置の動作の流れを説明するためのフローチャートである。
以下、図１，図２，図４，図５Ａ〜図５Ｅ，図６および図８を参照しながら版形成およびメダル刻印の過程の詳細を説明する。二点鎖線で囲んであるステップ部分が本発明に直接係わる流れの部分である。
メダル購入者がコイン投入部５５に１００円のコインを投入すると、版形成制御部は決められたコインが投入されたことを確認する（ステップ（以下「Ｓ」という）００１）。これにより多数のメダル原板を蓄積するメタルホッパーを作動させ１枚のメダル原板７８を案内レール７７の入口に払い出させる（Ｓ００２）。メダル原板７８は案内レール７７を落下しようとするが、メダルエスクロ用ソレノイドのプランジャ８４が案内レール７７に突出しているためメダル原板７８の下流への落下は停止する（Ｓ００３）。
版形成制御部は一方ではそれぞれ異なる模様を選択できる版選択パネル５４上の３つの版選択ボタンの発光ランプを点灯させ、メダル購入者に対し希望する版選択ボタンを押すよう促す。
【００２１】
版形成制御部は版の選択が行われる（Ｓ００４）と、版選択ボタンから送られる信号によりモータ駆動部１７に駆動信号を送出しモータ６１を回転させる（Ｓ００５）。
モータ６１の回転力は軸６２，ギア６３を介してチェーン６４に伝達され、ギア６５で減速されて軸７０に伝達される。軸７０の回転はギヤ７１，７２を介して軸７３に伝えられ、圧延ローラ７４と版取付ローラ７５が回転を開始するとともにスリット付き円盤２１も回転を開始する。
版取付ローラ７５の初期位置は原点位置検出用光学センサ４に対しブレードが所定の角度だけ手前位置に停止している状態であり、この位置から回転を開始し、光学位置検出用光学センサ４をブレードが通過すると、位置検出用光学センサ４の受光素子部から原点位置検出の信号が出力される。
【００２２】
版形成制御部は原点位置検出の信号を受けると、パルス数計測部（カウンタ）１４ｂを０にリセットし、パルス数計測部は位置検出光学センサ４で検出されるパルスの数の計数を開始する（Ｓ００６）。
さらに版が回転動作する（Ｓ００７）。版形成制御部は不揮発性メモリ部２０から設定パルス数データを読み出し、パルス計数部が設定パルス数を計数するかを判定する。設定パルス数を計数すると、つぎは時間計測部に設定パルス数を計数した時点から時間を計数させる。そして設定時間を計数したか否を判定する（Ｓ００８）。設定時間を計数すると、版形成制御部はソレノイド制御入出力回路１５に対し版形成タイミング信号を出力し、ソレノイド制御入出力回路１５はメダルエスクロ用ソレノイドを駆動し、プランジャ８４を引き込む。これによりメダル原板７８は案内レール７７中を落下する（Ｓ００９）。
【００２３】
案内レール７７を落下したメダル原板７８は圧延され版が転写され（Ｓ０１０）、版形成機構の下部に落下する。
落下したメダルは裏返しでメダル誘導路２の上に落下し滑り落ちる。そしメダル刻印ボックス８の底部に収容される（Ｓ０１１）。版形成制御部は入出力制御回路１６を介して刻印ボックス内メダルセット確認センサ７を制御しており、光入射状態から光遮断が刻印ボックス内メダルセント確認センサ７で検出されると、メダル刻印起動作用モータ６を駆動し、刻印部１０を下降させる。刻印部１０がメダル刻印ボックス８の底部に到達すると、バネの力により刻印部１０底面のシリアルナンバ等がメダル３０の裏面に刻印される。刻印後、メダル刻印起動作用モータ６は逆回転し、刻印部１０を上昇させ元の位置に復帰させる（Ｓ０１２）。
【００２４】
版形成制御部はメダル刻印起動作用モータ６のオフさせた後、刻印メダル払出機構用モータ５の駆動を開始する。これによりモータ回転力は回転板２４，連結杆２５により直線運動に変換され連結杆２５の先端に取り付けられているメダル押出部２６をメダル刻印ボックス８内に突出させる。
刻印されたメダル３０は開口部８ｂより外に押し出され、メダル払出路９の上に落下し滑り落ちる（Ｓ０１３）。この後、メダル受８５に落下し、メダル払出口８６より払い出される（Ｓ０１４）。メダル購入者はメダル払出口８６からメダルを取り出すことができる。
【００２５】
以上の実施の形態は、メダル刻印ボックスに収容されたメダル裏面に１回刻印する毎に更新される文字，数字を刻印する刻印手段は、刻印部を真上から下降させる例を説明したが、刻印部をメダル刻印ボックスの上部側部に待機させ、刻印部をバネ力によりメダル刻印ボックスの真上に移動させた後、下降させて刻印する構成にしてもよい。また、刻印したメダルを刻印ボックスの脇に押し出す押圧手段でメダルを排出させているが、変形例としてメダル刻印ボックスの底部の一辺を枢着機構にし、対面する辺を落下させることにより、メダル刻印ボックスの真下に落下させて払い出す構造にすることもできる。かかる場合、メダル確認センサは光学式ではなくメダルが底部に載ることによりメダルの重さで機械式スイッチをオンさせて検出するか、または光学式センサをメダル刻印ボックスの側面に設ける。
【産業上の利用可能性】
【００２６】
観光地やアミューズメント施設，イベント会場に設置されるメダル販売機である。
【図面の簡単な説明】
【００２７】
【図１】本発明によるメダル刻印機構を有する版形成機構の実施の形態を示す斜視図である。
【図２】版形成機構を背面から見た斜視図である。
【図３】図１の平面図である。
【図４】メダル刻印機構を有する版形成機構のＡ−Ａ断面図である。
【図５Ａ】メダル刻印機構の動作を説明するための斜視図で、メダルが落下する状態を示す図である。
【図５Ｂ】メダル刻印機構の動作を説明するための斜視図で、メダルをセンサ検出する状態を示す図である。
【図５Ｃ】メダル刻印機構の動作を説明するための斜視図で、刻印機を下降させ、メダルに刻印させる状態を示す図である。
【図５Ｄ】メダル刻印機構の動作を説明するための斜視図で、メダル刻印後の刻印機を上昇させる状態を示す図である。
【図５Ｅ】メダル刻印機構の動作を説明するための斜視図で、刻印後のメダルを払い出す状態を示す図である。
【図６】本発明によるメダル刻印機構を有する版形成機構を適用したメダル版刻印装置の回路の実施の形態を示すブロック図である。
【図７】本発明によるメダル刻印機構を有する版形成機構を適用したメダル版刻印装置の動作の流れを説明するためのフローチャートである。
【図８】メダル版刻印装置の外観を示す斜視図である。
【図９】版形成機構の上部位置の裏面側からの斜視図である。
【図１０】版形成機構の正面図である。
【符号の説明】
【００２８】
２  メダル誘導路
３  位置検出用光学センサ
４  原点位置検出用光学センサ
５  刻印メダル払出機構用モータ
６  メダル刻印起動作用モータ
７  刻印ボックス内メダルセット確認センサ
８  メダル刻印ボックス
９  メダル払出路
１０  制御基板
１１  メダルエスクロ用ソレノイド
１２  版位置調整用ボリューム（ＶＲ）  
１３  Ａ／Ｄ変換部  
１４  ＣＰＵ  
１７  モータ駆動部（ＳＳＲ）
１８  ＲＯＭ
１９  ＲＡＭ
２０  軸  
２１  スリット付き円盤
２２  モータ軸
２３  不揮発性メモリ部
２４  回転板
２５  連結杆
２６  メダル押出部
２７  軸
２９  ギアボックス
３０  メダル
５１  メダル版刻印装置
５４  版選択パネル
５５  コイン投入部
５６  メダル購入案内表示部
５８  メダル払出部  
６１  モータ
６２，７０，７３  軸
６３，６５，７１，７２  ギア
６４  チェーン
６６  固定基台
６７  刻印機構取付板
６８，６９  ローラ取付板  
７４  圧延ローラ
７５  版取付ローラ
７６ａ，７６ｂ，７６ｃ  版
７７  案内レール
７８  メダル原板
８５  メダル受
８６  メダル払出口
【図１】
0005014014.tif 000002
【図２】
0005014014.tif 000003
【図３】
0005014014.tif 000004
【図４】
0005014014.tif 000005
【図５Ａ】
0005014014.tif 000006
【図５Ｂ】
0005014014.tif 000007
【図５Ｃ】
0005014014.tif 000008
【図５Ｄ】
0005014014.tif 000009
【図５Ｅ】
0005014014.tif 000010
【図６】
0005014014.tif 000011
【図７】
0005014014.tif 000012
【図８】
0005014014.tif 000013
【図９】
0005014014.tif 000014
【図１０】
0005014014.tif 000015